(57)【特許請求の範囲】
【請求項１】
水平方向に配設されたリング部材の径方向両端を設置面にベースプレートを備え縦方向に配設されたリング部材で支持し、且つ水平方向に配置した前記リング部材に半月状の座板を取り付けたことを特徴とする遊具機能付きベンチユニット。
【請求項２】
水平方向に配設されたリング部材の両端を設置面にベースプレートを備え縦方向に配設されたリング部材で支持し、且つ水平方向に配置した前記リング部材に半月状の座板を取り付けた遊具機能付きベンチユニットの前記縦方向リング部材を共用して前記ベンチユニットを複数基連結したことを特徴とする遊戯機能付きベンチ。
【発明の詳細な説明】
【０００１】
【産業上の利用分野】
本発明はリング部材を構成要素とする遊具機能付きのベンチに関する。
【０００２】
【従来の技術】
児童公園や運動公園等の各種公園等においては、従来より、公園利用者のためにベンチが設置され、このベンチに腰掛けて休憩したり、また食事等を楽しむことができる。
【０００３】
このようなベンチの最も一般的なものは、いわゆる長椅子形式のもので、腰掛け用座板の後端から背もたれを立ち上げ、一度に数人が腰掛けられるようになっている。また、このような背もたれを有さないスツール形式のものも使用されている。その他に、使用される材質によって、コンクリート製のもの、プラスチィック製のもの、木製のもの、自然石を使用したものなど多種多様なベンチが開発されている。
【０００４】
【発明が解決しようとする課題】
しかしながら、従来のベンチはいずれにしても腰掛けるというベンチ本来の機能しか持ち合わせておらず、それ以外の機能を持つものは無いのが現状である。一方、公園利用者の嗜好も年々多種多様化し、従来のベンチにない変化が求められつつある。また、公園には遊戯施設としてすべり台や鉄棒などが設置されているが、近年の土地事情の悪化から、狭い公園用地内にベンチと遊具とを設置できないのが実情である。さらには、一般のベンチでは、座板の下部にベンチの脚が設けられているため、幼児がベンチに座り足をぶらぶらさせる際に、幼児の足がベンチの脚に当たり怪我をする危険があった。
【０００５】
本発明は従来のベンチにおける上記問題点を解消するもので、安全な使用が可能であり、かつベンチ機能の他に遊具機能を備えたベンチユニット及びこれを用いたベンチを提供することを目的とする。
【０００６】
【課題を解決するための手段】
本発明の遊具機能付きベンチユニットは上記目的を達成するために、水平方向に配設されたリング部材の両端を設置面にベースプレートを備え縦方向に配設されたリング部材で支持し、且つ水平方向に配置した前記リング部材に半月状の座板を取り付けたことを特徴とする。
【０００７】
ここで前記リング部材としては、特に耐候性に富むステンレス材が好適に使用できる。また、座板として、座り心地が良く温かみのある木製のもの、あるいは耐久性に富む金属製のものなどを使用することができる。
【０００８】
さらには、水平方向に配設されたリング部材の両端を設置面にベースプレートを備え縦方向に配設されたリング部材で支持し、且つ水平方向に配置した前記リング部材に半月状の座板を取り付けた遊具機能付きベンチユニットの前記縦方向リング部材を共用して前記ベンチユニットを複数基連結してベンチとして使用することもできる。
【０００９】
【作用】
本発明のベンチユニットにおいては、座板を備え水平方向に配設されたリング部材の両端を縦方向に配設されたリング部材で支持することにより、座板の下部に支障となる脚がなくなり、また、本来のベンチとしてのみならず、両端の縦リング部材を鉄棒等の遊具としても使用することが可能となる。
【００１０】
【実施例】
以下本発明の特徴を図面に示す実施例に基づいて具体的に説明する。
図１は本発明の一実施例である遊具機能付きベンチの斜視図、図２は図１に示す遊具機能付きベンチを構成するベンチユニットの斜視図である。
【００１１】
図１に示すように、本実施例の遊具機能付きベンチは、直径２００ｃｍの縦方向リング部材Ｒ1 、直径８０ｃｍの縦方向リング部材Ｒ3 ，Ｒ7 、直径１２０ｃｍの縦方向リング部材Ｒ5 ，Ｒ9 、直径８０ｃｍの水平方向リング部材Ｒ2 ，Ｒ4 ，Ｒ8 及び、直径１２０ｃｍの水平方向リング部材Ｒ6 によって主として構成されている。
【００１２】
これらリング部材Ｒ1 〜Ｒ9 は、耐久性に優れたステンレス材を曲げ加工により半円形状に形成したもので、図２のベンチユニットに示すように、略半月状の座板１０を取り付けた水平方向リング部材Ｒ6 の径方向両端にジョイント部材１２を設け、この一対のジョイント部材１２に、縦方向リング部材Ｒ5 ，Ｒ7 が溶接によって固定されている。１１は縦方向リング部材Ｒ5 ，Ｒ7 の設置面に設けられたステンレス製のベースプレートで、円形の平面形状を有し、これによって、地盤が弱い場所でも安定的に設置可能としている。
【００１３】
なお、図１及び図３に示すように、水平リング部材Ｒ2 ，Ｒ4 ，Ｒ8 も同様に、それぞれ両端を縦方向リング部材Ｒ1 ，Ｒ3 ，Ｒ5 ，Ｒ7 ，Ｒ9 によって支持されている。ここで、例えば、縦方向リング部材Ｒ3 は水平リング部材Ｒ2 ，Ｒ4 の双方を支持する構造としている。また、同様に、縦方向リング部材Ｒ1 ，Ｒ3 ，Ｒ9 の設置面にもベースプレート１１が設置され、水平リング部材Ｒ2 ，Ｒ4 ，Ｒ8 にも略半月状の座板１０が取付けられている。
【００１４】
図３はジョイント部材１２を一部切欠して示す説明図で、球形状のジョイント部材１２の内部に、リング部材Ｒ5 ，Ｒ6 よりも若干径大の縦貫通孔１２ａ及び横貫通孔１２ｂを形成し、これら貫通孔１２ａ，１２ｂにリング部材Ｒ5 ，Ｒ6 を嵌め込んで、溶接によって固定している。このような構造によって、リング部材Ｒ5 ，Ｒ6 の角度を自由に選ぶことができる。
【００１５】
このように、本実施例の遊具機能付きベンチユニットは、水平方向リング部材Ｒ2 ，Ｒ4 ，Ｒ6 ，Ｒ8 の両端を設置面にベースプレート１１を備えた縦方向リング部材Ｒ1 ，Ｒ3 ，Ｒ5 ，Ｒ7 ，Ｒ9 で支持した構造であるため、水平方向リング部材Ｒ2 ，Ｒ4 ，Ｒ6 ，Ｒ8 をベンチとして使用し、縦方向リング部材Ｒ1 ，Ｒ3 ，Ｒ5 ，Ｒ7 ，Ｒ9 を遊具として使用することができ、従来のように、狭い敷地内にベンチと遊具とを置く必要がなくなる。また、座板１０の下方位置に従来のようなベンチの脚となるものがないため、幼児が座板１０の上に座り、足をぶらぶらさせた場合にもベンチの脚にぶつかり怪我をすることもなくなる。また、座板１０は着脱可能であるために、設置場所に応じて、金属板，石，木，合成樹脂，陶板製のものを選ぶことができる。
【００１６】
図４は図１に示すベンチの使用状況を示す正面図で、本実施例では水平方向リング部材Ｒ2 ，Ｒ6 ，Ｒ8 を地面から４０ｃｍの高さとし、左から２基目の水平方向リング部材Ｒ4 をこれよりも低い３０ｃｍとすることによって、幼児から大人まで自然な状態での使用が可能となる。また、縦方向リング部材Ｒ3 ，Ｒ5 ，Ｒ7 ，Ｒ9 はその中を潜って遊ぶ遊具としても使用することができ、直径が２００ｃｍのリング部材Ｒ1 は鉄棒としても使用することが可能となる。
【００１７】
このように、本実施例の遊具機能付きベンチユニットは、従来のベンチにない、本来のベンチとしての機能だけでなく遊具としての機能も有し、かつ変化に富んだベンチを構成することができる。
【００１８】
【発明の効果】
本発明によって以下の効果を奏することができる。
【００１９】
（ａ）水平方向に配設されたリング部材の径方向両端を設置面にベースプレートを備え縦方向に配設されたリング部材で支持し、且つ水平方向に配置した前記リング部材に半月状の座板を取り付けることにより、従来のように、狭い敷地内にベンチと遊具とを置く必要がなくなる。また、座板の下方位置に従来のようなベンチの脚となるものがないため、幼児が座板の上に座り、足をぶらぶらさせた場合にもベンチの脚にぶつかり怪我をすることもなくなる。
【００２０】
（ｂ）  またこのベンチユニットの縦方向リング部材を共用して複数基連結してベンチを構成することによって、一基の縦方向リング部材で複数の水平方向リング部材を支持することができ、部品点数を少なくすることができる。
【図面の簡単な説明】
【図１】  本発明の一実施例である遊具機能付きベンチの斜視図である。
【図２】  図１に示す遊具機能付きベンチを構成するベンチユニットの斜視図である。
【図３】  水平方向リング部材と縦方向リング部材のジョイント部の断面図である。
【図４】  図１に示す遊具機能付きベンチの使用状態を示す正面図である。
【符号の説明】
Ｒ1 ，Ｒ3 ，Ｒ5 ，Ｒ7 ，Ｒ9   縦方向リング部材
Ｒ2 ，Ｒ4 ，Ｒ6 ，Ｒ8   水平方向リング部材
１０  半月状座板
１１  ベースプレート
１２  ジョイント部材
【図１】
0003672612.tif 000002
【図２】
0003672612.tif 000003
【図３】
0003672612.tif 000004
【図４】
0003672612.tif 000005